【事件の表示】
　平成　５年特許願第２４２２２１号「パチンコ遊技機」拒絶査定不服審判事件〔平成　７年　３月１４日出願公開、特開平　７−　６８０３０〕について、次のとおり審決する。
【結　論】
　本件審判の請求は、成り立たない。
【理　由】
第１，手続きの経緯
　本願は、平成５年９月３日の出願であって、平成１４年１２月２７日付けで拒絶査定がなされ、これに対し、平成１５年２月２７日に拒絶査定に対する審判請求がなされるとともに同日付けで手続補正がなされたものである。
　
第２，本願発明
　本願の請求項１乃至３に係る発明は、上記平成１５年２月２７日付けで全文補正された明細書の記載からみて、その特許請求の範囲の請求項１乃至３に記載されたとおりのものと認められるところ、その請求項１に記載された発明は次のとおりのものである。
　【請求項１】複数の回転ドラムを備えた図柄表示装置と前記図柄表示装置における各回転ドラムの回転動作を開始させるための図柄作動口と、遊技球を弾発するための打球ハンドルとを備えたパチンコ遊技機において、前記各回転ドラムの回転動作開始後、各回転ドラムの回転を停止する一つの停止操作スイッチを、前記打球ハンドルが配備された前面パネルの前記打球ハンドル近傍において、前記打球ハンドルを操作する手によって操作可能な位置に設け、前記停止操作スイッチの操作により、所定値に設定された第１の時間の測定を開始し、前記第１の時間経過前に前記停止操作スイッチの出力が解除された場合は、前記回転ドラムが完全に停止する長さに設定され、且つ、その間は前記停止操作スイッチの出力受付を行わない第２の時間の測定を開始すると共に、一つの回転ドラムを停止する制御を前記停止操作スイッチの操作毎に順次行い、前記第１の時間経過後においても前記停止操作スイッチの出力が維持されていた場合は、前記第２の時間の測定を開始すると共に、前記各回転ドラムを共に停止させる制御を行う制御手段を設けたことを特徴とするパチンコ遊技機。（以下「本願発明」という）
　
第３，刊行物に記載された発明
　刊行物１：特開昭６０−８５７７４号公報
　刊行物２：実願昭６２−６５３２６号（実開昭６３−１７２４７６号）の
　　　　　　マイクロフィルム
　刊行物３：特開平３−１２８４４号公報
　刊行物４：特開昭６３−１６３７１５号公報
　
　原査定の拒絶理由通知に引用された、特開昭６０−８５７７４号公報（以下「刊行物１」という）には、次の事項が記載されている。
　第１頁左下欄第１３行乃至右下欄第７行には、「２）可変表示装置は外周に複数個の数字あるいは符号、図形、色等が記載された回転ドラムを備えたものであることを特徴とする特許請求の範囲第１項記載のパチンコ遊技機。
・・・
　本発明は可変表示装置・・・を備えたパチンコ遊技機に関する。」と、
　第２頁左上欄第４行乃至右下欄第９行には、「第１図ないし第６図の実施例において、・・・８は前記収納皿７の右側に備えられた前記遊技玉収納皿６より供給された玉を１個ずつ前記遊技部３へ打込む操作ハンドルである。・・・
　前記遊技部３には・・・特別入賞部としてのポケット１５および特別入賞孔１６、１６と、前記特別入賞部のポケット１５あるいは特別入賞孔１６、１６内へ玉が入ると表示が変化して所定時間後にその表示が停止する可変表示装置１７と、・・・とが備えられている。
　・・・
また前記可変表示装置１７は第３図および第４図に示すように、・・・ケース体２１と、このケース体２１内に備えられた複数個の表示が外周に記載された複数個、本実施例では３個の回転ドラム２２ａ、２２ｂ、２２ｃと、この回転ドラム２２ａ、２２ｂ、２２ｃを回転駆動させる、前記ケース体２１の外側壁に取付けられたモーター２３と、前記回転ドラム２２ａ、２２ｂ、２２ｃの回転を停止させるソレノイド２４、２４、２４、前記回転ドラム２２ａ、２２ｂ、２２ｃの側面に固定された係止歯車２５、２５、２５および該係止歯車２５、２５、２５と係止する前記ソレノイド２４、２４、２４にそれぞれ取付けられた係止アーム２６、２６、２６とから構成されている。
　・・・３４は前記パチンコ遊技機本体１の前面に備えられた前記可変表示装置１７の駆動を停止させる停止指令スイッチである。」と、
　第２頁右下欄第２０行乃至第３頁右上欄第８行には、「また特別入賞部であるポケット１５あるいは特別入賞孔１６、１６に玉が入ると検出スイッチ１９、１９、１９が所定時間ＯＮとなり、可変表示装置１７のモーター２３が所定時間回転駆動する。このモーター２３の回転駆動によって回転ドラム２２ａ、２２ｂ、２２ｃも所定時間回転駆動して停止する。なお、強制的に途中で停止させる場合には停止指令スイッチ３４を押すことにより、ソレノイド２４、２４、２４が作動して回転ドラム２２ａ、２２ｂ、２２ｃの回転を停止させる。・・・停止指令スイッチ３４の一端は電源３６に接続され、他端は可変表示装置１７の回転ドラム２２ａ、２２ｂ、２２ｃを強制的に停止させるソレノイド２４、２４、２４に接続されている。」と、それぞれ記載されている。
　また、第１図及び第６図には「停止指令スイッチ３４が一つ」であることが示されている。
　したがって、これらの記載と、図面に示された事項を併せると、
　刊行物１には、　
「複数個の数字あるいは符号、図形、色等が記載された３個の回転ドラム２２ａ、２２ｂ、２２ｃを備えた可変表示装置１７と、玉が入ると前記可変表示装置１７における回転ドラム２２ａ、２２ｂ、２２ｃを所定時間回転駆動させる特別入賞部のポケット１５および特別入賞孔１６、１６と、玉を遊技部３へ打込む操作ハンドル８とを備えたパチンコ遊技機において、
　所定時間後に停止する前記回転ドラム２２ａ、２２ｂ、２２ｃの回転を強制的に途中で停止させる場合に押される一つの停止指令スイッチ３４を、パチンコ遊技機本体１の前面に備え、前記停止指令スイッチ３４を押すことにより、前記回転ドラム２２ａ、２２ｂ、２２ｃの回転を停止させることができるパチンコ遊技機。」の発明（以下「引用発明１」という）が記載されていると認められる。
　
　原査定の拒絶理由通知に引用された、実願昭６２−６５３２６号（実開昭６３−１７２４７６号）のマイクロフィルム（以下、「刊行物２」という）には、次の事項が記載されている。
　明細書第４頁第８行乃至第６頁第１６行には、「［実施例］
  第１図は本考案の一実施例であるパチンコ機の正面部を示す。
  図示の正面部１の遊技盤面２には、チューリップのような可変入賞装置３及び特定入賞口４等を含む入賞口が配設されると共に、遊技盤面２の中央部には、第１の可変表示部５と第２の可変表示部６とが設けられている。特定入賞口４は、これら第１の可変表示部５と第２の可変表示部６とを作動させるためのスタート孔であり、これに打球が入ると、・・・第１の可変表示部５と第２の可変表示部６を作動させるようになっている。・・・
  正面部１の右側下部には打球ハンドル１１が設けられ、遊技者がこれを操作することで、球発射装置１２を介して遊技盤面２のガイドレール８，９の間にパチンコ球が打ち出される。・・・また、正面から見て左端近くの位置には、後述のように第１及び第２の可変表示部の可変表示を停止させる信号を発生する停止操作部として、押ボタン式の停止スイッチ１９が配置されている。
　・・・
　一方、第２の可変表示部６は、３個の数字を可変表示するＬＥＤから成るセグメント２２、２３及び２４から成り、左側のセグメント２２は“０”又は“７”を表示し、中央及び右側のセグメント２３及び２４はそれぞれ“０”から“９”までの数字を表示するように構成されている。」と、
　明細書第７頁第９行乃至第９頁第６行には、「ＣＰＵ３０は、特定セーフ球検出器７が検出信号を発生した時には、前述のように第１の可変表示部５の表示素子２１を左と右の２方向に所定の時間間隔で順次点灯させる信号と、第２の可変表示部６の左側のセグメント２２を数字が変化するように駆動する信号とを出力する。この場合、第１の可変表示部５の表示素子２１の点灯は、左右両側からスタートして順次近づき、中心以外の位置で１つに重なった後、反対側に移動する。この移動表示動作中に停止スイッチ１９が操作されて停止信号が発生すると、それに応じてＣＰＵ３０は、第１の可変表示部５の順次移動する点灯を停止させると共に、第２の可変表示部６の左側のセグメント２２による可変表示を停止し、その表示を“０”又は“７”とする。
  次に、ＣＰＵ３０は、再び第１の可変表示部５の表示素子２１を左と右の２方向に順次点灯させると同時に、第２の可変表示部６の中央のセグメント２３を数字が変化するように駆動する。ここで停止スイッチ１９が再び操作されると、その停止信号に応じて、ＣＰＵ３０は第１の可変表示部５の順次移動する点灯を停止させると共に、第２の可変表示部６の中央のセグメント２３による可変表示を停止し、その表示を“０”から“９”までのいずれかとする。
  その後、ＣＰＵ３０は、再び第１の可変表示部５の表示素子２１を左と右の２方向に順次点灯させると同時に、第２の可変表示部６の右側のセグメント２４を数字が変化するように駆動する。ここで停止スイッチ１９が再び操作されると、その停止信号に応じて、ＣＰＵ３０は第１の可変表示部５の順次移動する点灯を停止させると共に、第２の可変表示部６の右側のセグメント２４による可変表示を停止し、その表示を“０”から“９”までのいずれかとする。
  かくして、上記のような停止スイッチ１９の操作で第２の可変表示部６の数字セグメント２２、２３、２４の可変表示を停止させたとき、・・・」と、それぞれ記載されている。
　また、第１図及び第３図には「停止スイッチ１９が一つ」であることが示されている。
　したがって、これらの記載と、図面に示された事項を併せると、
　刊行物２には、
　「左側、中央及び右側に数字を可変表示するセグメント２２、２３、２４から成る第２の可変表示部６と、第１の可変表示部５と第２の可変表示部６とを作動させるための特定入賞口４と、パチンコ球を打ち出す打球ハンドル１１とを備えたパチンコ機において、
　第１及び第２の可変表示部の可変表示を停止させる信号を発生する一つの押ボタン式の停止スイッチ１９を、正面視左端近くの位置に配置し、
　前記停止スイッチ１９が操作されて停止信号が発生すると、ＣＰＵ３０は、第１の可変表示部５の順次移動する点灯を停止させると共に、第２の可変表示部６の左側のセグメント２２による可変表示を停止させ、次に、ＣＰＵ３０は、再び第１の可変表示部５の表示素子２１を順次点灯させると同時に、第２の可変表示部６の中央のセグメント２３を数字が変化するように駆動し停止スイッチ１９が再び操作されると、その停止信号に応じて、ＣＰＵ３０は第１の可変表示部５の順次移動する点灯を停止させると共に、第２の可変表示部６の中央のセグメント２３による可変表示を停止させ、その後、ＣＰＵ３０は、再び第１の可変表示部５の表示素子２１を順次点灯させると同時に、第２の可変表示部６の右側のセグメント２４を数字が変化するように駆動し停止スイッチ１９が再び操作されると、その停止信号に応じて、ＣＰＵ３０は第１の可変表示部５の順次移動する点灯を停止させると共に、第２の可変表示部６の右側のセグメント２４による可変表示を停止させる、パチンコ機。」の発明（以下「引用発明２」という）が、記載されていると認められる。
　　
　本願出願前に頒布された、特開平３−１２８４４号公報（以下「刊行物３」という）には、次の事項が記載されている。
　第１頁左下欄第４行乃至右下欄第３行には、「２．特許請求の範囲
早送りボタンまたは巻戻しボタンが最初に押圧された時の押圧時間を検出し、その長短から入力指令が通常の早送り／巻戻しモードであるかまたはクイック・サーチモードであるかを判定するモード判定手段と、
・・・とを備えたことを特徴とする車載用ディジタル磁気記録再生装置。」と、
　第２頁右下欄第１６行乃至第１９行には、「さらに、以下の例では、通常のＦＦ／ＲＥＷモードと、本発明によるクイック・サーチモードとを判定するための押圧時間のしきい値ｔ０としてｔ０＝０．５秒を採用し、・・・」と、それぞれ記載されている。
　したがって、刊行物３には、　
「早送りボタンまたは巻戻しボタンの押圧時間を検出し、押圧時間のしきい値として０．５秒を採用し、該ボタンの押圧時間の長短から入力指令が通常の早送り／巻戻しモードであるかまたはクイック・サーチモードであるかを判定する車載用ディジタル磁気記録再生装置。」の発明が記載されていると認められる。
　　
　本願出願前に頒布された、特開昭６３−１６３７１５号公報（以下「刊行物４」という）には、次の事項が記載されている。
　第１頁左下欄第４行乃至第１６行には、「２．特許請求の範囲
・・・
（２）前記加熱手段は、電源スイッチを所定時間未満押圧したときには現在設定されている予熱モードが維持され、また電源スイッチを所定時間以上押圧したときには他の予熱モードに切換えられるようにしたことを特徴とする特許請求の範囲第１項に記載の石油燃焼器。」と、
　第２頁右下欄第１３行乃至第１８行には、「次に、電源スイッチ２０の押圧時間が所定時間（２秒）未満である場合は、現在設定されている予熱モード、・・・例えば１時間だけ加熱手段５を予熱状態に維持する。」と、
　第３頁左上欄第９行乃至第１５行には、「一方、電源スイッチ２０の押圧時間が所定時間（２秒）以上である場合は、現在設定されている予熱モード（Ｔ）とは異なる予熱モード（Ｔ′）が選択される。・・・例えば３時間の予熱状態を維持して、３時間経過後にヒーター６への通電は自動的に停止される。・・・」と、それぞれ記載されている。
　したがって、刊行物４には、　
「電源スイッチを所定時間未満押圧したときには現在設定されている予熱モードが維持され、また電源スイッチを所定時間以上押圧したときには他の予熱モードに切換えられるようにした石油燃焼器。」の発明が記載されていると認められる。
　　
第４，本願発明と引用発明１との比較・検討　
　引用発明１の「３個の回転ドラム２２ａ、２２ｂ、２２ｃ」は本願発明の「複数の回転ドラム」に相当し、以下同様に「可変表示装置１７」は「図柄表示装置」に、「玉が入ると前記可変表示装置１７における回転ドラム２２ａ、２２ｂ、２２ｃを回転駆動させる特別入賞部のポケット１５および特別入賞孔１６、１６」は「図柄表示装置における各回転ドラムの回転動作を開始させるための図柄作動口」に、「玉を遊技部３へ打込む操作ハンドル８」は「遊技球を弾発するための打球ハンドル」に、「パチンコ遊技機」は「パチンコ遊技機」に、「回転ドラム２２ａ、２２ｂ、２２ｃの回転を強制的に途中で停止させる場合に押される一つの停止指令スイッチ３４」は「各回転ドラムの回転動作開始後、各回転ドラムの回転を停止する一つの停止操作スイッチ」に、「停止指令スイッチ３４を押す」は「停止操作スイッチの操作」に、「回転ドラム２２ａ、２２ｂ、２２ｃの回転を停止させる」は「各回転ドラムを共に停止させる」に、それぞれ相当する。また、パチンコ遊技機が「回転ドラムを停止させる制御を行う制御手段を設け」ることは、当該分野においては技術常識であるから、両者の一致点及び相違点は次のとおりである。
　
　一致点
　複数の回転ドラムを備えた図柄表示装置と前記図柄表示装置における各回転ドラムの回転動作を開始させるための図柄作動口と、遊技球を弾発するための打球ハンドルとを備えたパチンコ遊技機において、前記各回転ドラムの回転動作開始後、各回転ドラムの回転を停止する一つの停止操作スイッチを設け、前記停止操作スイッチの操作により、前記各回転ドラムを共に停止させる制御を行う制御手段を設けたパチンコ遊技機。
　
　相違点
　（Ａ）停止操作スイッチを、本願発明では打球ハンドルが配備された前面パネルの前記打球ハンドル近傍において、前記打球ハンドルを操作する手によって操作可能な位置に設けたのに対し、引用発明１ではパチンコ遊技機本体の前面に備えた点
　（Ｂ）本願発明では、停止操作スイッチの操作により、所定値に設定された第１の時間の測定を開始し、前記第１の時間経過前に前記停止操作スイッチの出力が解除された場合は、前記回転ドラムが完全に停止する長さに設定され、且つ、その間は前記停止操作スイッチの出力受付を行わない第２の時間の測定を開始すると共に、一つの回転ドラムを停止する制御を前記停止操作スイッチの操作毎に順次行い、前記第１の時間経過後においても前記停止操作スイッチの出力が維持されていた場合は、前記第２の時間の測定を開始すると共に、前記各回転ドラムを共に停止させる制御を行うのに対し、
　引用発明１では、回転ドラムの停止制御手法として、停止操作スイッチの任意の操作により回転を強制的に途中で停止させる任意停止制御手法と停止操作スイッチが操作されない場合に所定時間後に停止させる自動停止制御手法との２つの停止制御手法が示されているが、
　（Ｂ−１）停止制御手法を選択する選択手段として、停止操作スイッチの出力が解除されるまでの時間、すなわち、停止操作スイッチの出力の長短による機能選択手段ではなく、
　（Ｂ−２）任意停止制御手法においては、停止操作スイッチの操作毎に一つの回転ドラムの停止を順次行うものではなく、
　（Ｂ−３）回転ドラムが完全に停止するまで、すなわち、第２の時間の間は停止操作スイッチの出力受付を行わないのかどうか明らかでない点
　
　そこで、上記相違点について検討する。
　相違点（Ａ）について
　停止操作スイッチをパチンコ遊技機のどの位置に設けるかは、遊技者による操作性を考慮して当業者が適宜に設定できる設計上の事項であるから、遊技者により操作される打球ハンドルとの配設位置を限定し、相違点（Ａ）に係る構成とすることは、当業者が容易になし得ることである。
　相違点（Ｂ）について　　
　（Ｂ−１）「停止操作スイッチの出力の長短による機能選択手段」について検討する。
　スイッチ操作継続時間の長短によりその機能を選択することは、例えば刊行物３に示された「早送りボタンまたは巻戻しボタン」及び刊行物４に示された「電源スイッチ」のように周知・慣用の機能選択スイッチ手段である。
　したがって、当該出力の長短による機能選択スイッチ手段を、引用発明１において、停止操作スイッチによる自動停止制御手法と任意停止制御手法との機能選択スイッチ手段として、前記周知・慣用の機能選択スイッチ手段を代替採用することは当業者が適宜なし得る単なる設計的事項であり、当該採用に際しては、当該スイッチ出力の長短、すなわち、長短の判断基準としての第１の時間を測定することは、当業者にとっては当然の技術的事項である。
　（Ｂ−２）「任意停止制御手法」について検討する。
　回転ドラムの停止図柄組み合わせを行うゲームにおいては、停止操作スイッチの操作毎に一つの回転ドラムを順次停止させる停止制御手法は、引用発明２に示されるように周知・慣用の停止制御手法であるから、引用発明１における回転ドラムを任意に停止する手法として、前記引用発明２に示されるような周知・慣用の任意停止制御手法を代替採用することは当業者が適宜採用しうる程度の事項である。　
　（Ｂ−３）「停止操作スイッチの出力受付」について検討する。
　（Ｂ−３−１）回転ドラムの停止制御手法として、前記自動停止制御手法が選択された場合に、当該停止制御手法による回転ドラムが停止するまで停止操作スイッチの出力を受け付けないようにすることは、何ら作用を生じさせない不必要な出力を受け付ける必要性が存在しないことから、当該不必要な出力による誤動作を防止する担保手段を設けることは当業者が必要に応じてなし得る設計的事項であり、しかも、回転ドラムの変動停止までの期間を時間で規定することは、例えば、特開平４−３２９９８１号公報に示された７セグＡ〜Ｃ（【００２７】、【００２８】及び【図１０】参照）、特開平２−６５８８１号公報に示された表示部材１２（公報第１３頁左下欄第８行乃至第１４行及び第１５図参照）のように周知・慣用の技術であるから、回転ドラムが停止するまでの時間すなわち、第２の時間の間は当該停止操作スイッチの出力を受け付けないようにすることは当業者にとっては当然の技術的事項である。
　（Ｂ−３−２）また、回転ドラムの停止制御手法として、操作スイッチの操作毎に回転ドラムを順次停止させる停止制御手法が選択された場合は、　回転ドラムの停止図柄を組み合わせるために、停止した回転ドラムの図柄を認識した後、次に停止させる図柄を考慮して後の回転ドラムを停止させることが一般的ゲーム進行形態であることを勘案すると、当該図柄確認前にスイッチ操作しないように誤操作担保手段を設けることは当業者ならば必要に応じてなし得る設計的事項であり、しかも、回転ドラムの変動停止までの期間を時間で規定することは、例えば、特開平４−３２９９８１号公報に示された７セグＡ〜Ｃ（【００２７】、【００２８】及び【図１０】参照）、特開平２−６５８８１号公報に示された表示部材１２（公報第１３頁左下欄第８行乃至第１４行及び第１５図参照）のように周知・慣用の技術であるから、回転ドラムが停止するまでの時間すなわち、第２の時間の間は当該停止操作スイッチの出力を受け付けないようにすることは当業者にとっては当然の技術的事項である。
　
　そして、以上の各相違点を総合的に勘案しても、前記各検討事項を選択採用することが困難であるとは認められず、しかも採用したことによる効果も格別のものとは認められないから、当該相違点は格別のものではない。　
　
　したがって、本願発明は、引用発明１及び２並びに周知・慣用の技術に基づいて当業者が容易に発明をすることができたものである。
　
第５，むすび
　以上のとおり、本願発明は、引用発明１及び２並びに周知・慣用の技術に基づいて当業者が容易に発明をすることができたものであるから、本願の他の請求項に係る発明について検討するまでもなく、本願は、特許法第２９条第２項の規定により、特許を受けることができない。
　よって、結論のとおり審決する。